(57)【要約】【課題】画像表示用光源及び非画像表示用光源の駆動を両立的に行うことができる画像表示用駆動回路を提供する【解決手段】複数の画像表示用光源Ｒ−ＬＥＤ，Ｇ−ＬＥＤ，Ｂ−ＬＥＤを時分割的に順次駆動する画像表示用駆動回路であって、電源１１と、時分割的に順次駆動される複数の画像表示用光源と、電源１１からの電力が供給される画像表示用光源の切換えと、切換時に生じる非通電時間に、画像表示用光源とは異なる非画像表示用光源ＬＥＤへ、電源１１からの電力の供給とを行う切換手段１３、１４と、を備える画像表示用駆動回路である。【選択図】図１
2011102890.tif 000002
【特許請求の範囲】
【請求項１】
電源と、
時分割的に順次駆動される複数の画像表示用光源と、
前記電源からの電力が供給される前記画像表示用光源の切換えと、前記切換時に生じる非通電時間に、前記画像表示用光源とは異なる非画像表示用光源へ、前記電源からの電力の供給とを行う切換手段と、を備えることを特徴とする画像表示用駆動回路。
【請求項２】
前記切換手段は、前記電源からの電力が供給される前記画像表示用光源を切換える第１切換手段と、前記第１切換手段の切換時に生じる非通電時間に、前記画像表示用光源とは異なる非画像表示用光源へ、前記電源からの電力を供給するように切換える第２切換手段とを備えることを特徴とする請求項１に記載の画像表示用駆動回路。
【請求項３】
前記第２切換手段を介した前記非画像表示用光源への電力の供給を停止する停止手段をさらに備えることを特徴とする請求項２に記載の画像表示用駆動回路。
【請求項４】
電源と、
時分割的に順次駆動される複数の画像表示用光源と、
他の回路へ供給する電力を蓄電する蓄電手段と、
前記電源からの電力が供給される前記画像表示用光源の切換えと、前記切換時に生じる非通電時間に、前記電源から前記蓄電手段への電力の供給とを行う切換手段と、を備えることを特徴とする画像表示用駆動回路。
【請求項５】
前記切換手段は、前記電源からの電力が供給される前記画像表示用光源を切換える第１切換手段と、前記第１切換手段の切換時に生じる非通電時間に、前記電源から前記蓄電手段へ電力を供給するように切換える第２切換手段とを備えることを特徴とする請求項４に記載の画像表示用駆動回路。
【請求項６】
前記蓄電手段は、スーパーキャパシタ又は二次電池であることを特徴とする請求項４に記載の画像表示用駆動回路。
【請求項７】
前記蓄電手段は、スーパーキャパシタ又は二次電池であることを特徴とする請求項５に記載の画像表示用駆動回路。
【請求項８】
前記第２切換手段は、前記蓄電手段に対する電圧が所定値に達したか否かを検出する電圧検出手段を有し、
前記電圧検出手段により前記所定値に達したことが検出された場合に、前記蓄電手段への電力の供給を停止することを特徴とする請求項５又は７に記載の画像表示用駆動回路。
【請求項９】
請求項１〜８の何れか一項に記載の画像表示用駆動回路を備えることを特徴とする画像表示装置。
【発明の詳細な説明】
【技術分野】
【０００１】
本発明は、画像表示用駆動回路、及び画像表示装置に関する。
【背景技術】
【０００２】
近時、プロジェクタや液晶ディスプレイ等の画像表示装置のさらなる改良が行われている。例えば、プロジェクタが備える投射用の光源としてのＬＥＤの駆動回路として、下記特許文献１に記載の技術が提案されている。
【０００３】
このようなプロジェクタ等の画像表示装置においては、映像を投射するための光源としてのＬＥＤ（以下、これを画像表示用光源ということがある）を点灯制御するための駆動回路に加えて、プロジェクタが備える他の光源、例えば、プロジェクタ本体やキーボード等に設けられるインジケータ用のＬＥＤやその他の照明用のＬＥＤ等の上記画像表示用光源以外の光源（以下、上記の画像表示用光源と区別するため、これらを非画像表示用光源ということがある）を駆動するための駆動回路や他の回路を駆動するための駆動回路が設けられている。
【先行技術文献】
【特許文献】
【０００４】
【特許文献１】特開２００６−１７４６７７号公報
【発明の概要】
【発明が解決しようとする課題】
【０００５】
しかしながら、従来は、上記の非画像表示用光源や他の回路を駆動するための駆動回路は、上記の画像表示用光源を駆動するための駆動回路とは別に独立して設けられている。従って、その分だけ、全体として回路構成が複雑化し、部品点数の増大、回路の大型化、及びコストの上昇を招いているという問題があった。
【０００６】
本発明はこのような点に鑑みてなされたものであり、画像表示用光源の駆動及び非画像表示用光源又は他の回路の駆動を両立的に行うことができる画像表示用駆動回路、及びこれを備える画像表示装置を提供することを目的とする。
【課題を解決するための手段】
【０００７】
本発明の第１の観点に係る画像表示用駆動回路は、電源と、時分割的に順次駆動される複数の画像表示用光源と、前記電源からの電力が供給される前記画像表示用光源の切換えと、前記切換時に生じる非通電時間に、前記画像表示用光源とは異なる非画像表示用光源へ、前記電源からの電力の供給とを行う切換手段と、を備えて構成される。
【０００８】
本発明の第２の観点に係る画像表示用駆動回路は、電源と、時分割的に順次駆動される複数の画像表示用光源と、他の回路へ供給する電力を蓄電する蓄電手段と、前記電源からの電力が供給される前記画像表示用光源の切換えと、前記切換時に生じる非通電時間に、前記電源から前記蓄電手段への電力の供給とを行う切換手段と、を備えて構成される。
【０００９】
本発明の第３の観点に係る画像表示装置は、本発明の第１又は第２の観点に係る画像表示用駆動回路を備えて構成される。
【発明の効果】
【００１０】
本発明によれば、画像表示用駆動回路、及びこれを備える画像表示装置において、画像表示用光源の駆動及び非画像表示用光源又は他の回路の駆動を両立的に行うことができる、という効果がある。
【図面の簡単な説明】
【００１１】
【図１】本発明の第１実施形態の画像表示用駆動回路の構成を示す回路図である。
【図２】本発明の第１実施形態の画像表示用駆動回路の制御信号のタイミングを示す図である。
【図３】本発明の第２実施形態の画像表示用駆動回路の構成を示す回路図である。
【図４】本発明の第２実施形態の画像表示用駆動回路の制御信号のタイミングを示す図である。
【図５】本発明の第３実施形態の画像表示用駆動回路の構成を示す回路図である。
【図６】本発明の第４実施形態の画像表示用駆動回路の構成を示す回路図である。
【図７】本発明の第４実施形態の画像表示用駆動回路の制御信号のタイミングを示す図である。
【発明を実施するための形態】
【００１２】
以下、本発明の実施形態について、図面を参照して詳細に説明する。なお、本実施形態では、本発明が適用可能な画像表示装置として、フィールドシーケンシャル方式のプロジェクタを一例として説明する。但し、本発明はフィールドシーケンシャル方式の液晶ディスプレイ、その他の画像表示装置にも適用可能である。
【００１３】
フィールドシーケンシャル方式のプロジェクタは、例えば、画像を表示するために互いに異なる色で発光する複数の光源（画像表示用光源）、画像を形成する反射型の液晶素子としてのＬＣＯＳ（Ｌｉｑｕｉｄ  Ｃｒｙｓｔａｌ  ｏｎ  Ｓｉｌｉｃｏｎ）、光路の結合及び／又は分離用の複数の光学素子（偏光ビームスプリッタ、１／４波長板等）、及び投射光学系（レンズ系）とを概略備えて構成されている。
【００１４】
画像表示用光源としては、発光ダイオード（ＬＥＤ：Ｌｉｇｈｔ  Ｅｍｉｔｔｉｎｇ  Ｄｉｏｄｅ）が用いられ、フルカラー表示を行うため、赤（Ｒ）、緑（Ｇ）、青（Ｂ）の３原色に対応して、赤色発光ダイオード、緑色発光ダイオード、青色発光ダイオードが設けられている。各色発光ダイオードが例えば６０Ｈｚ程度の周波数で順次に点灯されることにより、ＬＣＯＳで形成された画像が投射光学系を介してスクリーン上に投射され、視覚的にフルカラー画像と認識できる画像がスクリーン上に表示される。フィールドシーケンシャル方式のプロジェクタは、ＲＧＢを同時発色するカラーフィルタ方式のプロジェクタと比較して、高解像度、高輝度を実現できる等の利点がある。なお、ＲＧＢの３原色に加えて、白（Ｗ）に対応する白色発光ダイオードが設けられる場合もある。
【００１５】
このようなプロジェクタには、操作ボタンや操作キーの位置や種類等を示すための光源、装置の動作状態等を表示するためのインジケータ用の光源、手元照明用の光源、プレゼンテーション等の際に用いるポインタ用の光源、その他の光源（非画像表示用光源）が設けられる場合があり、画像表示用光源以外に、これらの非画像表示用光源にも電力を供給する必要がある。また、プロジェクタが備える制御回路のクロック回路等の他の回路にも電力を供給する必要がある。
【００１６】
ところで、画像を形成するＬＣＯＳのレスポンスに対応するため、画像表示用光源としての各色発光ダイオードの順次点灯における色の切換時には、何れの発光ダイオードにも通電しない非通電時間（オフ時間）が設けられるのが一般的である。以下に説明する本発明が適用された画像表示用駆動回路は、このようなオフ時間を有効利用して、上述した非画像表示用光源や上述した他の回路の少なくとも１つに電力を供給し得るようにしたものである。
【００１７】
〔第１実施形態〕
図１に示すように、本発明の第１実施形態の画像表示用駆動回路は、ＲＧＢの各色に対応した画像表示用光源としての複数の発光ダイオード（画像表示用発光ダイオード）Ｒ−ＬＥＤ、Ｇ−ＬＥＤ、Ｂ−ＬＥＤに対して、時分割的に順次電力を供給して駆動する駆動回路である。この画像表示用駆動回路は、スイッチング電源としてのＤＣ／ＤＣコンバータ１１、電流検出回路１２、画像表示用発光ダイオード切換制御回路（第１切換手段）１３、及び非画像表示用発光ダイオード切換制御回路（第２切換手段）１４を概略備えて構成されている。
【００１８】
画像表示用発光ダイオード切換制御回路１３は、画像表示用光源としての複数の発光ダイオードＲ−ＬＥＤ、Ｇ−ＬＥＤ、Ｂ−ＬＥＤへのＤＣ／ＤＣコンバータ１１からの電力の供給を選択的に順次切り換える回路である。非画像表示用発光ダイオード切換制御回路１４は、画像表示用発光ダイオード切換制御回路１３による画像表示用発光ダイオードＲ−ＬＥＤ，Ｇ−ＬＥＤ，Ｂ−ＬＥＤに対する電力供給の切換時に生じる非通電時間（オフ時間）に、画像表示用発光ダイオードＲ−ＬＥＤ，Ｇ−ＬＥＤ，Ｂ−ＬＥＤとは異なる非画像表示用光源としての発光ダイオード（非画像表示用発光ダイオード）ＬＥＤに対して、ＤＣ／ＤＣコンバータ１１からの電力を供給する回路である。
【００１９】
ＤＣ／ＤＣコンバータ１１は、それぞれＰチャンネルＭＯＳＦＥＴ及びＮチャンネルＭＯＳＦＥＴからなるスイッチング素子ＳＷＡ，ＳＷＢ，ＳＷＣ，ＳＷＤ、インダクタンスＬ、及びＰＷＭコントローラＣＮＴを概略備えて構成されている。ＤＣ／ＤＣコンバータ１１としては、ＬＥＤドライバＩＣ等として一般に市販されているものを用いることができる。ここでは、昇降圧タイプのＤＣ／ＤＣコンバータを例にしてその動作を簡単に説明するが、昇圧タイプ又は降圧タイプであってもよい。
【００２０】
ＤＣ／ＤＣコンバータ１１の各スイッチング素子ＳＷＡ，ＳＷＢ，ＳＷＣ，ＳＷＤのスイッチングは、ＰＷＭコントローラＣＮＴにより制御され、ＰＷＭコントローラＣＮＴはこのプロジェクタが備える図外の主制御装置により制御される。例えば、入力電圧Ｖｉｎ＞出力電圧Ｖｏｕｔの場合には、降圧ＤＣ／ＤＣコンバータとして動作する。この時には、スイッチング素子ＳＷＤがオン、スイッチング素子ＳＷＣがオフ、スイッチング素子ＳＷＡとスイッチング素子ＳＷＢは交互にオン／オフすることによって、出力電圧Ｖｏｕｔが生成される。一方、入力電圧Ｖｉｎ＜出力電圧Ｖｏｕｔの場合には、昇圧ＤＣ／ＤＣコンバータとして動作する。この時には、スイッチング素子ＳＷＡがオン、スイッチング素子ＳＷＢがオフ、スイッチング素子ＳＷＣとスイッチング素子ＳＷＤは交互にオン／オフすることにより出力電圧Ｖｏｕｔが生成される。
【００２１】
ＤＣ／ＤＣコンバータ１１の作動又は停止は、図外の主制御装置から送られるオン／オフ（Ｏｎ／Ｏｆｆ）信号により制御される。ＤＣ／ＤＣコンバータ１１にオン信号が供給されている間は、画像表示用発光ダイオード切換制御回路１３を介して、各色発光ダイオードＲ−ＬＥＤ，Ｇ−ＬＥＤ，Ｂ−ＬＥＤに対して、順次選択的に電力が供給され、プロジェクタの投射光源が作り出される。
【００２２】
画像表示用発光ダイオード切換制御回路１３は、各色発光ダイオードＲ−ＬＥＤ，Ｇ−ＬＥＤ，Ｂ−ＬＥＤのそれぞれに対応して、ＮチャンネルＭＯＳＦＥＴからなるスイッチング素子ＳＷＲ，ＳＷＧ，ＳＷＢを備え、各スイッチング素子ＳＷＲ，ＳＷＧ，ＳＷＢが図外の主制御装置から送られるＲＧＢ点灯制御信号（Ｒ信号、Ｇ信号、Ｂ信号）に従って作動又は停止されることにより、各色発光ダイオードＲ−ＬＥＤ，Ｇ−ＬＥＤ，Ｂ−ＬＥＤの点灯又は消灯が切換制御される。図外の主制御装置からのＲＧＢ点灯制御信号（Ｒ信号、Ｇ信号、Ｂ信号）は、一例として、図２（ａ）〜図２（ｃ）に示すように、互いに重複発光せずに順次点灯するような波形のタイミング信号であり、一の色の消灯から次の色の点灯までの間には、図外のＬＣＯＳのレスポンスに応じて、所定の非通電時間（オフ時間）が設定されている。
【００２３】
また、各色発光ダイオードＲ−ＬＥＤ，Ｇ−ＬＥＤ，Ｂ−ＬＥＤの駆動電流は電流検出素子（例えば、抵抗Ｒ＿ｓｅｎｓｅ）により検出され、コンパレータ（Ｅｒｒｏｒ  ＡＭＰ）により予め設定された値Ｖｒｅｆと比較されて、ＤＣ／ＤＣコンバータ１１（ＰＷＭコントローラＣＮＴ）にフィードバックされる。その結果、所望の定電流が生成され、安定した投写光源が得られる。
【００２４】
ここで、図２（ａ）〜図２（ｄ）に示されるように、ＬＣＯＳを採用するプロジェクタでは各色発光ダイオードＲ−ＬＥＤ，Ｇ−ＬＥＤ，Ｂ−ＬＥＤの順次点灯には、何れの画像表示用発光ダイオードＲ−ＬＥＤ，Ｇ−ＬＥＤ，Ｂ−ＬＥＤも点灯していないオフ時間（非通電時間）が存在するのが一般的である。つまり、このオフ時間では駆動回路が動作していない状態となっているのである。本実施形態では、このオフ時間を利用し、画像表示用発光ダイオードＲ−ＬＥＤ，Ｇ−ＬＥＤ，Ｂ−ＬＥＤ以外の他の発光ダイオードである非画像表示用発光ダイオードＬＥＤを駆動することにより、同一駆動回路で画像表示用発光ダイオードＲ−ＬＥＤ，Ｇ−ＬＥＤ，Ｂ−ＬＥＤに加えて、非画像表示用発光ダイオードＬＥＤをも駆動するようにしている。
【００２５】
これを実現するため、非画像表示用発光ダイオード切換制御回路１４が設けられている。非画像表示用発光ダイオード切換制御回路１４は、ＮＯＲゲートとＮチャンネルＭＯＳＦＥＴからなるスイッチング素子ＳＷ１とを有し、各ＲＧＢ点灯制御信号（Ｒ信号、Ｇ信号、Ｂ信号）の論理和を反転した信号（Ｙ信号）によりスイッチング素子ＳＷ１をスイッチングする。このＹ信号は、図２（ｄ）に示されるような波形のタイミング信号であり、この信号Ｙに従うスイッチング素子ＳＷ１のスイッチング動作により、非画像表示用発光ダイオードＬＥＤが点灯される。このＹ信号の周波数は、Ｒ信号、Ｇ信号、Ｂ信号の周波数に従って極めて高いので、非画像表示用発光ダイオードＬＥＤは視覚的には常時点灯しているように観察される。非画像表示用発光ダイオードＬＥＤに供給される電流は、電流検出回路１２において、画像表示用発光ダイオードＲ−ＬＥＤ，Ｇ−ＬＥＤ，Ｂ−ＬＥＤと同じように、所望の明るさに応じて予め設定された比較値Ｖｒｅｆに従って制御されるため、安定した電流が供給される。
【００２６】
なお、上記の説明においては、画像表示用発光ダイオードＲ−ＬＥＤ，Ｇ−ＬＥＤ，Ｂ−ＬＥＤ及び非画像表示用発光ダイオードＬＥＤの電流を単一の電流検出回路１２により検出するようにしたが、各発光ダイオードＲ−ＬＥＤ，Ｇ−ＬＥＤ，Ｂ−ＬＥＤ，ＬＥＤのそれぞれについて電流検出回路１２と同様な電流検出回路を別々に設けてもよい。
【００２７】
これにより、非画像表示用発光ダイオードＬＥＤを駆動するために定電圧回路を別途設ける必要はなくなり、部品点数やコスト、実装面積の低減が期待できる。
【００２８】
〔第２実施形態〕
次に、本発明の第２実施形態について図３及び図４を参照して説明する。上述した第１実施形態と実質的に同一の構成部分については、同一の符号を付して、その説明は省略する。上述した第１実施形態では、非画像表示用発光ダイオードＬＥＤは、ＤＣ／ＤＣコンバータ１１がオン状態では、視覚的に常時点灯されており、その点灯又は消灯を制御することができない。
【００２９】
これに対して、この第２実施形態では、非画像表示用発光ダイオード切換制御回路１４内のＮＯＲゲートとスイッチング素子ＳＷ１との間に選択回路としてＡＮＤゲートを介装し、Ｙ信号と図外の主制御装置から送られる選択信号ｓｅｌｅｃｔとの論理積としてのＹ０信号により、スイッチング素子ＳＷ１をスイッチングするようにしている。即ち、Ｙ信号（図４（ｄ））とｓｅｌｅｃｔ信号（図４（ｅ））がともにオン（Ｈｉｇｈ）のときにのみ、スイッチング素子ＳＷ１がオンされる（図４（ｆ））。これにより、主制御装置からの選択信号ｓｅｌｅｃｔにより、非画像表示用発光ダイオードＬＥＤの点灯又は消灯を自在に制御することが可能となる。従って、非画像表示用発光ダイオードＬＥＤの点滅も可能であり、そのデューティ比も自在に制御可能である。
【００３０】
これにより、非画像表示用発光ダイオードＬＥＤを駆動するために定電圧回路を別途設ける必要はなくなり、部品点数やコスト、実装面積の低減が期待できる。
【００３１】
〔第３実施形態〕
次に、本発明の第３実施形態について図５を参照して説明する。上述した第１又は第２実施形態と実質的に同一の構成部分については、同一の符号を付して、その説明は省略する。上述した第１又は第２実施形態では、画像表示用発光ダイオードＲ−ＬＥＤ，Ｇ−ＬＥＤ，Ｂ−ＬＥＤに対する非通電時間を利用して、非画像表示用発光ダイオードＬＥＤを定電流駆動するようにしている。
【００３２】
これに対し、この第３実施形態では、画像表示用発光ダイオードＲ−ＬＥＤ，Ｇ−ＬＥＤ，Ｂ−ＬＥＤに対する非通電時間を利用して、プロジェクタに搭載される他の回路（本画像表示用駆動回路以外の回路）に電力を供給する定電圧源（定電圧回路）を構成するものである。このため、この第３実施形態では、第１又は第２実施形態の非画像表示用発光ダイオードＬＥＤに代えて、蓄電手段Ｃｓを設けるとともに、第１又は第２実施形態の非画像表示用発光ダイオード切換制御回路１４に代えて、蓄電手段Ｃｓに対する電力の供給を選択的に切り換える蓄電手段用切換制御回路（第２切換手段）１５を設けている。蓄電手段Ｃｓとしては、ここでは、比較的に軽い負荷に対応する定電圧源を構成するものとして、コンデンサを用いている。但し、蓄電手段Ｃｓとしては、スーパーキャパシタ（電気二重層キャパシタ）や二次電池等であってもよい。
【００３３】
蓄電手段用切換制御回路１５は、ＯＲゲート、ＰチャンネルＭＯＳＦＥＴからなるスイッチング素子ＳＷ２、ダイオードＤ１、及び電圧安定化コンデンサＣ１を概略備えて構成されている。コンデンサＣ１は省略してもよい。図外の主制御装置からのＲＧＢ点灯制御信号（Ｒ信号、Ｇ信号、Ｂ信号）の論理和としてのＹ信号により、スイッチング素子ＳＷ２がスイッチングされ、蓄電手段Ｃｓに対する充電が行われ、出力Ｖｏｕｔ２により、これに接続される他の回路が定電圧駆動される。出力電圧Ｖｏｕｔ２は、分圧抵抗Ｒ１，Ｒ２により検出され、ＤＣ／ＤＣコンバータ１１のＰＷＭコントローラＣＮＴにフィードバックされる。その結果、安定した定電圧源（定電圧回路）が構成される。この定電圧回路に他の回路として軽い負荷を接続すれば、これを駆動するために定電圧回路を別途設ける必要はなくなり、部品点数やコスト、実装面積の低減が期待できる。
【００３４】
〔第４実施形態〕
次に、本発明の第４実施形態について図６及び図７を参照して説明する。上述した第１〜第３実施形態と実質的に同一の構成部分については、同一の符号を付して、その説明は省略する。この第４実施形態は、上述した第３実施形態の一部の構成を変更したものであり、第３実施形態の蓄電手段用切換制御回路１５に代えて、蓄電手段用切換制御回路１６（第２切換手段）を設けたものである。
【００３５】
蓄電手段Ｃｓとしては、ここでは、比較的に重い負荷に対応するため、スーパーキャパシタ（電気二重層キャパシタ）を用いるものとする。但し、蓄電手段Ｃｓとしては、二次電池等であってもよい。
【００３６】
蓄電手段用切換制御回路１６は、ＯＲゲート、ＰチャンネルＭＯＳＦＥＴからなるスイッチング素子ＳＷ３，ＳＷ４、及び電圧検出回路１７を概略備えて構成されている。図外の主制御装置からのＲＧＢ点灯制御信号（Ｒ信号、Ｇ信号、Ｂ信号）及び電圧検出回路１７の出力信号Ｖｄｅｃの論理和としてのＹ信号により、スイッチング素子ＳＷ３，ＳＷ４がスイッチングされる。これにより、蓄電手段Ｃｓに対する充電が行われ、出力電圧Ｖｏｕｔ２により、これに接続される他の回路が定電圧駆動される。ここでは、他の回路１８として、ＲＴＣ（リアルタイムクロック）回路を例示している。但し、この画像表示用駆動回路により駆動される他の回路としては、このようなＲＴＣ回路に限定されない。
【００３７】
電圧検出回路１７は、例えばリセットＩＣで構成され、出力電圧Ｖｏｕｔ２が所定値に達したか否かを検出して、これを示す信号として信号Ｖｄｅｃを出力する。ＤＣ／ＤＣコンバータ１１がオン（Ｈｉｇｈ）になり（図７（ａ））、ＲＧＢ点灯制御信号（Ｒ信号、Ｇ信号、Ｂ信号）が順次オン（Ｈｉｇｈ）となり、これらに従って画像表示用の各色発光ダイオードＲ−ＬＥＤ，Ｇ−ＬＥＤ，Ｂ−ＬＥＤが順次点灯される（図７（ｃ）〜図７（ｅ））。このとき、蓄電手段Ｃｓは未充電又は不十分な充電状態であるため、出力電圧Ｖｏｕｔ２は所定値よりも低く、電圧検出回路１７の出力信号Ｖｄｅｃはオフ（Ｌ）のままである。
【００３８】
画像表示用の各色発光ダイオードＲ−ＬＥＤ，Ｇ−ＬＥＤ，Ｂ−ＬＥＤの点灯切換時には、ＯＲゲートの出力信号Ｙがオフ（Ｌｏｗ）となり（図７（ｆ））、これに応じてスイッチング素子ＳＷ３，ＳＷ４が作動されて、蓄電手段Ｃｓに電力が供給され、充電が開始される（図７（ｇ））。画像表示用の各色発光ダイオードＲ−ＬＥＤ，Ｇ−ＬＥＤ，Ｂ−ＬＥＤのオフ時間中に繰り返し蓄電手段Ｃｓへの充電がなされ、出力電圧Ｖｏｕｔ２が所定値に達すると（図７（ｇ））、電圧検出回路１７の出力信号Ｖｄｅｃがオン（Ｈｉｇｈ）となるため（図７（ｂ）、画像表示用の各色発光ダイオードＲ−ＬＥＤ，Ｇ−ＬＥＤ，Ｂ−ＬＥＤのオフ時間中であっても、スイッチング素子ＳＷ３，ＳＷ４がオフのままとなり（図７（ｆ））、蓄電手段Ｃｓへのそれ以降の充電は停止される（図７（ｇ））。
【００３９】
他の回路（ここでは、ＲＴＣ回路）１８による電力消費がなされ、出力電圧Ｖｏｕｔ２が所定値よりも低くなると、電圧検出回路１７の出力信号Ｖｄｅｃが一時的にオフ（Ｌｏｗ）となり（図７（ｂ））、これがオフの期間にのみ蓄電手段Ｃｓへの充電がなされ（図７（ｇ））、再度出力電圧Ｖｏｕｔ２が上昇して所定値となることにより、充電が停止され、以降これらを繰り返すことにより、出力電圧Ｖｏｕｔ２が一定に保たれる。その結果、安定した定電圧源（定電圧回路）が構成される。これにより、他の回路（ここでは、ＲＴＣ回路）１８を駆動するために定電圧回路を別途設ける必要はなくなり、部品点数やコスト、実装面積の低減が期待できる。
【００４０】
上述した第１〜第４実施形態によれば、ＤＣ／ＤＣコンバータ１１からの画像表示用発光ダイオードＲ−ＬＥＤ，Ｇ−ＬＥＤ，Ｂ−ＬＥＤに対する電力供給の切換時に生じる非通電時間（オフ時間）に、該画像表示用発光ダイオードＲ−ＬＥＤ，Ｇ−ＬＥＤ，Ｂ−ＬＥＤとは異なる負荷（第１及び第２実施形態では非画像表示用発光ダイオードＬＥＤ、第３及び第４実施形態では他の回路１８）に対して、該ＤＣ／ＤＣコンバータ１１からの電力を供給するようにしたので、単一の画像表示用駆動回路により、複数の画像表示用発光ダイオードＲ−ＬＥＤ，Ｇ−ＬＥＤ，Ｂ−ＬＥＤとこれらとは異なる負荷とを時分割的に駆動することができる。従って、このような負荷を駆動するために別途駆動回路を設ける必要がなくなり、回路構成が簡略化し、部品点数の減少、回路の小型化、及びコストの低減を図ることができる。
【００４１】
なお、以上説明した各実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【符号の説明】
【００４２】
１１…ＤＣ／ＤＣコンバータ、１２…電流検出回路、１３…画像表示用発光ダイオード切換制御回路、１４…非画像表示用発光ダイオード切換制御回路、１５，１６…蓄電手段用切換制御回路、１７…電圧検出回路、１８…他の回路、Ｒ−ＬＥＤ，Ｇ−ＬＥＤ，Ｂ−ＬＥＤ…画像表示用発光ダイオード、ＬＥＤ…非画像表示用発光ダイオード、ＳＷ１〜ＳＷ４…スイッチング素子、Ｃｓ…蓄電手段。
【図１】
2011102890.tif 000003
【図２】
2011102890.tif 000004
【図３】
2011102890.tif 000005
【図４】
2011102890.tif 000006
【図５】
2011102890.tif 000007
【図６】
2011102890.tif 000008
【図７】
2011102890.tif 000009